(57)【要約】【課題】        無線ディスパッチシステムにおける通話リクエストを待ち行列に組み入れるためのシステム及び方法。【解決手段】  プッシュトゥトーク無線ディスパッチサービスは、メディアコントロールユニットを備える。該メディアコントロールユニットは、１つの遠隔ユニットが発言権を持っていて、他の遠隔ユニットからのプッシュトゥトーク(PTT)信号が受信されたとき、PTT信号のそれぞれの受信時刻及び／または送信の優先度に基づいて、遠隔ユニットの待ち行列を確立する。ディスパッチサービスの送信チャネルは、話しているユニットから開放されると、待ち行列の次の遠隔ユニット、等に使用が認められる。
2005532703.tif 000002
【特許請求の範囲】
【請求項１】
ディスパッチネットワークにおける遠隔ユニットの複数のユーザに対して、ディスパッチサービスを提供する方法、該方法は下記を具備する：
第一の遠隔ユニットからの一番目のプッシュトゥトーク（PTT）リクエストを受信し、一番目のPTTリクエストに応じて第一の遠隔ユニットに少なくとも１つの送信する通信チャネルを認める；
第一の遠隔ユニットが、送信する通信チャネルを認められている間に、第二の遠隔ユニットからの少なくとも二番目のPTTリクエストを受信する；そして、
二番目のPTTリクエストに応じて待ち行列の一番目の位置を指定する。
【請求項２】
該待ち行列における位置は第二のPTTリクエストに関連づけられている、請求項１に記載の方法。
【請求項３】
該待ち行列における位置は第二の遠隔ユニットに関連づけられている、請求項１に記載の方法。
【請求項４】
さらに、下記を具備する請求項１に記載の方法：
第一の遠隔ユニットが、送信する通信チャネルを認められている間に、第三の遠隔ユニットからの少なくとも三番目のPTTリクエストを受信する、三番目のリクエストは二番目のリクエストより遅い時刻または低い優先度である；
三番目のPTTリクエストに応じて待ち行列の二番目の位置を指定する、該待ち行列の二番目の位置は、該待ち行列の一番目の位置より後ろにあり、それによって第二の遠隔ユニットは第三の遠隔ユニットより優先権を認められ、第一の遠隔ユニットからの送信チャネルの開放時に送信する。
【請求項５】
送信チャネルが第一の遠隔ユニットに認められたままである間は、ディスパッチネットワークにおいて他の遠隔ユニットに送信させないことを更に具備する請求項１に記載の方法。
【請求項６】
第二の遠隔ユニットに関連した該待ち行列中の位置を表現する少なくとも１つのメッセージを第二の遠隔ユニットに送信することを更に具備する請求項１に記載の方法。
【請求項７】
さらに、第二の遠隔ユニットに関連した該待ち行列中の位置をディスプレイ上に表示することを具備する請求項６に記載の方法。
【請求項８】
さらに、第二の遠隔ユニットに関連した該待ち行列中の位置に基づいて、第二の遠隔ユニットが送信チャネルを使うことの許可を表すメッセージを第二の遠隔ユニットに送信することを具備する請求項６に記載の方法。
【請求項９】
該メッセージがIPベースのプロトコルに基づいている請求項８に記載の方法。
【請求項１０】
ディスパッチサービスがCDMAを用いる請求項１に記載の方法。
【請求項１１】
ディスパッチサービスシステムであって、無線通信の仕組みを用いたディスパッチサービスを用いて互いに通信する複数の遠隔ユニットと、
遠隔ユニットからのプッシュトゥトーク（PTT）信号と、PTT信号に関連したそれぞれの時刻、及びそれぞれの優先度の少なくとも1つに基づいて待ち行列を確立する少なくとも1つのメディアコントロールユニット（MCU）、該待ち行列は該待ち行列中のそれぞれの位置に基づいて、該待ち行列に関連した遠隔ユニットにディスパッチサービスの送信チャネルを認めるのに役立つ、とを具備するディスパッチサービスシステム。
【請求項１２】
該MCUが、待ち行列に組み入れられている遠隔ユニットに関連した該待ち行列の中の位置を表す少なくとも1つのメッセージを、少なくとも1つの待ち行列に組み入れられている遠隔ユニットに送信する請求項１１に記載のシステム。
【請求項１３】
さらに、待ち行列に組み入れられている遠隔ユニットの該待ち行列の中での位置を表す、待ち行列に組み入れられている遠隔ユニットのディスプレイを具備する請求項１２に記載のシステム。
【請求項１４】
該MCUが、待ち行列に組み入れられている遠隔ユニットに関連した該待ち行列中の位置に基づいて、待ち行列に組み入れられている遠隔ユニットが送信チャネルを使うことの許可を表すメッセージを該待ち行列に組み入れられている遠隔ユニットに送信する、請求項１２に記載のシステム。
【請求項１５】
該メッセージがIPベースのプロトコルに基づいている請求項１４に記載のシステム。
【請求項１６】
ディスパッチサービスがCDMAを用いる請求項１１に記載のシステム。
【請求項１７】
少なくとも1つのプロセッサを具備する、複数の遠隔ユニットにサービスする無線ディスパッチシステム：該少なくとも1つのプロセッサは、下記を具備する：
送信している遠隔ユニットが送信チャネルを使用する許可を認められている間に、待っている遠隔ユニットから、システムの送信チャネルを使って情報を送信したいというリクエストを受信する手段；
送信したいというリクエストに関連したそれぞれの時刻及び／又は優先度の少なくとも一部に基づいて待っている遠隔ユニットを待ち行列に組み入れる手段；
待ち行列に組み入れる手段に基づいて待っている遠隔ユニットに送信チャネルへのアクセスを認める手段。
【請求項１８】
待っている遠隔ユニットに関連した該待ち行列中の位置を表す少なくとも1つのメッセージを少なくとも1つの待っている遠隔ユニットに送信する手段を具備する請求項１７に記載のシステム。
【請求項１９】
さらに、待っている遠隔ユニットの該待ち行列の中での位置を表す、少なくとも1つの待っている遠隔ユニットのディスプレイを具備する請求項１７に記載のシステム。
【請求項２０】
待っている遠隔ユニットに関連した該待ち行列中の位置に基づいて、待っている遠隔ユニットが送信チャネルを使うことの許可を表すメッセージを少なくとも1つの待っている遠隔ユニットに送信する手段をさらに具備する請求項１７に記載のシステム。
【請求項２１】
該メッセージがIPベースのプロトコルに基づいている請求項２０に記載のシステム。
【請求項２２】
ディスパッチサービスがCDMAを用いる請求項１７に記載のシステム。
【発明の詳細な説明】
【技術分野】
【０００１】
本発明は一般に無線ディスパッチシステム（wireless dispatch systems）に関連する。そのシステムにおいてはユーザのグループはお互いに話し合うことができる。
【背景技術】
【０００２】
無線電話通信システムにおいて、ディスパッチ（dispatch）サービスを提供することが出来る。そのサービスにおいては、多くのユーザが無線チャネルを介して通信することができ、その無線チャネルを介して、私的な通信グループの他の無線及び有線電話システムに接続することができる。無線チャネルを介した通信は多様な多重接続技術の一つであってよい。これらの多重接続技術は、時分割多重接続（TDMA）,周波数分割多重接続（FDMA）、符号分割多重接続（CDMA）を含む。CDMA技術は多くの利点を有する。典型的なCDMAシステムは以下に記載されている。米国特許.No.4,901,307,1990年2月13日登録、K.Gilhousen et al.“SPREAD  SPECTRUM  MULTIPLE  ACCESS  COMMUNICATION  SYSTEM  USING  SATELLITE  OR  TERRERTRIAL  REPEATERS”。これは本発明の譲受人に譲渡されており、ここで引用されて組み込まれる。
【０００３】
典型的な無線及び有線の電話サービスは1対1（point to point）のサービスを提供するが、至急報（dispatching）サービスは１対多（point to many）のサービスを提供する。一般的なディスパッチサービスの応用としては、地域警察無線システム、タクシー配車システム、連邦捜査局（Federal Bureau of Investigation）やシークレットサービスの活動、一般的な軍事通信システムを含む。
【０００４】
無線ディスパッチシステムの基本モデルは、同報網またはユーザのグループから成る。それぞれのユーザは共通同報順方向（forward）リンクの信号をモニターする。もし、ユーザが通話したい場合は、ユーザは逆方向(reverse)リンク伝達チャネルを使う為の許可をリクエストする。即ち、プッシュトゥトーク（push-to-talk:PTT）ボタンを押す。通話中のユーザの声は、逆方向リンクから電話基盤施設へと届けられ、順方向リンクを介して他のグループメンバーへと同報される。理想的には、ディスパッチシステムはシステムへの地上線及び無線によるアクセスを許容する。
【０００５】
無線ディスパッチシステムの一部である遠隔ユニットのユーザがプッシュトゥトークボタンを押す場合、ユーザはただちに通話を開始することが出来る。多くのユーザからなるグループにおいて、一度に一人より多くのユーザが通話したい場合には、このことは常に可能というわけではない。通常生じることは、話したい人が、彼または彼女が会話の中断を見つけるまで待つことである。その時点で、ユーザはPTTボタンを押し通話をはじめる。望むべきは、網が空いて（clear）いて、他のユーザが同時に急に飛び込んできて通話しないことである。ユーザ間の干渉を避ける為に、従来のシステムは、ひとたびユーザが彼または彼女のPTTボタンを押したならば、通話から他のユーザを締め出すことによって送信を“優先”してきた。通話中のユーザがPTTボタンを開放した時は、上記締め出しは解除される。それによって、その後彼または彼女のPTTボタンを押した最初のユーザに通話権が与えられる。
【０００６】
本発明は、しかしながら、比較的大きなユーザのグループと共にあり、特に白熱した議論にかかわる時において、上記“優先”は不十分と成り得ることを認識している。例えば、グループのあまり積極的でないメンバーが、PTTボタンを絶えず押したり開放するより積極的なメンバーによって議論から締め出され得る。さらに、締め出し(lock-out)の終了時に丁度PTTボタンを押した遅いユーザと、締め出し解除の前に前もってPTTボタンを押していたかもしれないところの、聞かれる為に無駄な努力をしていた早いユーザとの区別がつかない。上記問題点に鑑み、それら問題点の一つまたはそれ以上に対して、本発明は以下の解決策を提供する。
【発明の開示】
【０００７】
[サマリー]   ディスパッチネットワークにおいて、遠隔ユニットの複数のユーザに対してディスパッチサービスを提供する方法であって、第一の遠隔ユニットから、第一のプッシュトゥトーク（PTT）リクエストを受信することを含む。第一のPTTリクエストに応じて、第一の遠隔ユニットは、送信する通信チャネルが許可される。そして本方法は、第一の遠隔ユニットに、送信する通信チャネルが認められている間に、第二の遠隔ユニットからの少なくとも第二のPTTリクエストの受信を期待する。待機中の待ち行列(a waiting queue)における一番目の位置は第二のPTTリクエストに応じて割り当てられる。
【０００８】
好ましい実施例においては、待ち行列における位置は、第二のPTTリクエストに関連している、または同じ意味だが、リクエストを生成する第二の遠隔ユニットの同定に関連している。
【０００９】
どの場合においても、より特定の実現においては、本方法は、第一の遠隔ユニットに、送信する通信チャネルが認められている間に、第三の遠隔ユニットからの少なくとも第三のPTTリクエストの受信を含むが、第三のリクエストが第二のリクエストより、時間的に遅れた場合、または、低い優先度を有する場合である。待機中の待ち行列の二番目の位置は第三のPTTリクエストに応じて割り当てられる。この好ましい実施例と調和して、待ち行列の二番目の位置は待ち行列の一番目の位置の後にあり、それによって第二の遠隔ユニットには第三の遠隔ユニットより、第一の遠隔ユニットからの送信チャネルの開放に伴う送信に対する優先権が認められる。
【００１０】
さらに好ましい実施例においては、本方法は、送信チャネルが第一の遠隔ユニットに認められたままである間に、他の遠隔ユニットがディスパッチ網に送信することを禁止することを含む。もし望まれるならば、第二の遠隔ユニットに関連した、待ち行列における位置を表すメッセージを第二の遠隔ユニットに送ることが出来る。第二の遠隔ユニットに関連した、待ち行列におけるこの位置はディスプレイ上に表示することが出来る。さらに、チャネルが開放された時に第二の遠隔ユニットが送信チャネルの使用することの許可を表すメッセージを第二の遠隔ユニットに送ることが出来る。特に、制限の無い実現において、上記メッセージはIPベースのプロトコルに基づいてもよく、また、ディスパッチサービスはCDMAを用いてもよい。
【００１１】
他の観点では、ディスパッチサービスシステムは、無線通信の原理を用いたディスパッチサービスを使って互いに通信する複数の遠隔ユニットを含む。メディアコントロールユニット（MCU）は、遠隔ユニットからのプッシュトゥトーク信号に基づいた待ち行列及び、PTTシグナルと関連したそれぞれの時刻及び／または優先度を確立する。待ち行列のそれぞれの位置に基づいてディスパッチサービスの送信チャネルを該待ち行列に関連した遠隔ユニットに認める為に待ち行列は便利である。
【００１２】
さらに他の観点では、複数の遠隔ユニットを受け持つ無線ディスパッチシステムは少なくとも一つのプロセッサーを備え、該プロセッサーは、送信している遠隔ユニットが送信チャネルの使用の許可を認められている間に、待っている遠隔ユニットから、システムの送信チャネルを用いて情報を送信する為のリクエストを、受信する手段を順番に備える。該プロセッサーはまた、送信の為のリクエストと関連したそれぞれの時刻及び／または優先度の少なくとも一部に基づいて待機中の遠隔ユニットを待ち行列に組み入れる手段を備える。待ち行列に組み入れる手段に基づいて、待機中の遠隔ユニットに送信チャネルアクセスを認めるための手段が提供される。
【００１３】
本発明の詳細は、その構成と動作に関して、それらは添付した図を参照すれば最も良く理解されるであろう。図における同様の参照番号は同様の部分を示す。
【００１４】
[好ましい実施形態の詳細な説明]    最初に図１に言及すると、ディスパッチシステムは一般に10として示される。好ましい実施例においては、限定されないが例えば無線電話のようなものである遠隔ユニット12、14、16、及び18は、ディスパッチユニットとしても、１対１の電話機としても、両者として機能しても構わない。例として、遠隔ユニット12はシステムの送信チャネルの使用が認められており、したがって活発な話者であるとし、さらに遠隔ユニット14、16、そして18は話さないリスナーであるとする。
【００１５】
図１が示すように、基地局20は同報順方向リンクチャネルを、聞いている遠隔ユニット14、16、そして18に提供することが出来る。さらに、基地局20は、個別順方向及び逆方向トラヒックチャネルを、話している遠隔チャネル12に接続することが出来る。個別トラヒックチャネルは、例えば、話している遠隔ユニット12が電力制御命令のような他の遠隔ユニットに固有のシグナリング情報を受信することが出来ることを除けば、順方向リンク同報チャネルに似ている。個別トラヒックチャネルは、また、電力制御及びシグナリング情報を運ぶ。基地局20は、また、話している遠隔ユニット12から逆方向リンク信号を受信する。
【００１６】
図１はさらに、以下で述べる論理を実現した論理モジュール24にアクセスしているメディアコントロールユニット(media control unit)（MCU）22と基地局20が通信することを示す。MCU（メディアコントロールユニット）22は、基地局20内、または基地局コントローラ内、または移動交換センター（MSC）内、または実際に他の無線電話基盤施設内に備えることができる。
【００１７】
一つの典型的で、制限の無い実施例においては、遠隔ユニット12、14、16、18は、京セラ（Kyocera）,三星（サムソン、Samsung）その他のメーカーによって製造された移動電話であり、それらは、符号分割多重（CDMA）原理を用い、IS-95A、IS-95B、WCDMA、IS-2000その他に限定されないがそれらにおいて規定されているようなCDMA空中（over-the-air：OTA）通信エアインターフェースプロトコルを用いる。例えば、本発明が適用できる無線通信システムは、上述したことに加えて、個人通信サービス（PCS）やセルラーシステムを含む。例えば、アナログの発展した移動電話システム（AMPS）や、以下のようなディジタルシステム：CDMA、時分割多重接続（TDMA）、TDMAとCDMA技術の両方を用いた混成システムである。CDMAセルラーシステムは、通信機械工業会／電子機械工業会（TIA/EIA）の標準化規格(standard)IS-95に記載されている。AMPSとCDMAの結合システムはTIA/EIAの標準化規格IS-95に記載されている。他の通信システムは、国際移動電気通信システム2000／世界移動電気通信システム(International Mobile Telecommunications System 2000/Universal Mobile Telecommunication Systems)(IMT-2000/UM)の標準化規格に記載されている。この標準化規格は、所謂ワイドバンドCDMA（WCDMA）、cdma2000(例えば、cdma2000 1x または 3x のような標準化規格)、またはTD-SCDMAを含んでいる。
【００１８】
本発明は、遠隔ユニット12、14、16、18のどれにでも適用される。一般に、本発明が適用される無線通信装置は、これらのものに限定されるわけではないが、無線ハンドセットまたは電話、携帯電話、データ送受信機、或いは、ページングまたは位置決定受信機を含み、望まれるならば、乗り物（自動車、トラック、ボート、飛行機、列車を含む）に搭載可能なように手で持ったり携帯することができる。しかしながら、無線通信装置は一般に移動可能とみなされるが、本発明は特定の実現においては、IP/VOIP上の計算機端末或いはパーソナルコンピュータ等の“固定された”ユニットに適用可能であることを理解しなければならない。さらに、本発明は、音声及び／又はデジタル化されたビデオ情報を含むデータ情報  を転送するために使用されるデータモジュールまたはモデムに適用され、有線または無線のリンクを用いて他の装置と通信してもよい。更に、モデムやモジュールを、複数の通信チャネル上を情報を転送するために、あらかじめ調整したり関連づけたやり方で動作させるために、命令が用いられてもよい。無線通信装置はまたしばしばユーザ端末、移動局、移動ユニット、加入者ユニット、移動無線機、または無線電話、無線ユニット、または特定の通信システムでは単に“ユーザーズ(users)”そして“モバイルズ(mobiles)”と呼ばれる。
【００１９】
図１において、話している遠隔ユニット12は基地局20との間に確立された双方向リンクを有している。活発になるために、遠隔ユニットは送信リクエストを送信する。即ち、基地局20へのトラヒックチャネルをリクエストするアクセスチャネルメッセージを送信することによってそれはなされる。一つの制限の無い実施例において、このアクセスチャネルメッセージは、遠隔ユニット12のプッシュトゥトーク（PTT）ボタン26をユーザが適切に操作することに応じて生成させることができる。さらに、それぞれの遠隔ユニット12、14、16、18は、示される様な映像端末28を簡単に表示するために備えることができる。
【００２０】
遠隔ユニット12が通信リンクを確立した時に、それは、個別順方向リンクトラヒックチャネル上の順方向同報チャネルのシグナリングを受信する。このように、遠隔ユニット12は順方向リンク同報チャネルを監視せず、自分自身の個別順方向リンクトラヒックチャネル上のディスパッチシステム情報のすべてを受信する。さらに、上述したように、遠隔ユニット12は個別逆方向チャネルを通して、基地局20に返信する。話している遠隔ユニット12は自分自身の個別順方向リンク信号パスを持っているので、遠隔ユニットの特定のメッセージは望むならばシグナリングに含めることができる。例えば、もし話している遠隔ユニット12が、ディスパッチシステムの遠隔ユニットとしても、1対1の電話ユニットとしても共に動作可能である場合、遠隔ユニット12は、順方向リンクトラヒックチャネルを通して、入ってきた1対1の呼が遠隔ユニット12に向けられたものであることを知ることができる。
【００２１】
上記の構成的概観に基づいて、今、図２に着目する。以下に述べるフローチャートに一致して本論理は図１で示した構成の上で実行されることが理解されなければならない。このフローチャートは計算機プログラムソフトウェアで実現された本発明の論理の構成を示す。当業者は、本発明に従って機能する論理要素、それらはコンピュータプログラムのコード要素或いは電子論理回路であったりするが、それらの構成をフローチャートで示すことを好む。明らかに、発明はその本質的な実施例において機械部品によって実行される。その機械部品は、デジタル処理装置（それは、コンピュータ、制御器、プロセッサ等である）が、ここで示したものに対応する機能ステップの系列を実行するように指示する形式に論理要素を表現している。
【００２２】
言い換えれば、この論理はコンピュータプログラムで実現してもよく、このコンピュータプログラムは、コンピュータまたは制御要素で実行可能な指示の連続として、上述の要素に含まれるプロセッサによって実行される。これらの指示は、例えば、RAM、またはハードドライブ、または光ドライブに存在しても良いし、この指示は、磁気テープ、電子的な読み取りのみのメモリー、または他の適当な、動的に変更または更新が可能なデータ保持デバイスに保持されても良い。
【００２３】
図２の論理フローチャートについてこれから述べる。ブロック100から始めると、ディスパッチネットワーク（即ち、グループのメンバーのみに使用される私的なネットワーク）において音声またはデータ情報を送信したいというリクエストが受信される。一つの典型的な、制限の無い実施例においては、リクエストはプッシュトゥトーク（PTT）原理を用いて作られる。その実施例においては、遠隔ユニットのPTTボタン26は適切に操作される。この遠隔ユニットとは、例えば、話している遠隔ユニット12である。しかし、ここで示した原理は送信リクエストの他のモードにも同様に適用される。
【００２４】
ブロック102に移ると、他の遠隔ユニットがいずれも送信許可を持っていないとすると、リクエストを行っている遠隔ユニットにディスパッチネットワークの送信チャネルが認められる。ブロック104に進むと、ディスパッチグループの他の遠隔ユニット、例えば、聞いている遠隔ユニット14、16、18、は本技術のディスパッチネットワークのしくみに従って送信から締め出される。しかし、締め出しの間にPTTリクエストを生成する、聞いている遠隔ユニット14、16、18に対しては、論理はブロック106でDOループに入り、ブロック108へと進み、締め出された遠隔ユニットからのリクエストを受信する。
【００２５】
一つまたはそれ以上のPTTリクエストを、締め出されたユニット14、16、18から受信した後に、論理はブロック110へと進む。そこで、リクエストは、それらが受信された時刻に基づいて、または同様に、それらが送信された時刻に基づいて、待ち行列に組み入れられる。ネットワークによる遅延が考慮されなければならない。時刻に追加して、または時刻の代わりに、もし望まれるならば、リクエストは優先度の指標（indicia）に基づいて待ち行列に組み入れられても良い。優先度の指標としては、遠隔ユニットの相対的な重要度、または、リクエストに示される、許可が求められる送信の相対的な重要度のようなものがある。待ち行列のどの位置が、どの遠隔ユニットであるか、またはPTTリクエスト、またはリクエストの時刻、または実際に整数順序(integer sequence)によって指定されるかにかかわらず、本発明が上で明らかにした待ち行列のやり方を含むことは理解されなければならない。待ち行列は、リスト、テーブル、その他、これらに限定されず、どのような適当なデータ構造によっても実現可能である。
【００２６】
ブロック110で送信リクエストを待ち行列に組み入れることに加えて、好ましい制限の無い論理はまた、リクエスト中の遠隔ユニットに対し、それぞれのリクエストがブロック112で待ち行列に組み入れられたことを知らせる。これは、例えば、遠隔ユニットへのSIPメッセージのようなIPプロトコルベースのメッセージを送信することで実行される。そのメッセージは待ち行列の中でのそれぞれの位置、例えば、“次に話す番である”、“あなたの前に２人ユーザがいる”等を示す。或いは、メッセージは、特定の遠隔ユニットが占める待ち行列での順番を表す単なる整数を含む必要がある。ブロック114では、もし望まれるならば、個々の遠隔ユニットは、ブロック112で送信されたメッセージに示された待ち行列の中での位置を表示することができる。この表示は、待ち行列の中での遠隔ユニットの位置を表す整数とすることができ遠隔ユニットのディスプレイに表示される、或いは、アルファベットと数字からなる説明的なメッセージでもよい。
【００２７】
ブロック116で、送信チャネルが、その使用が認められていた遠隔ユニットによって開放されたとき、待ち行列の一番目の遠隔ユニットは送信チャネルの使用が認められる。これは、ブロック118で、この効果を示すメッセージを該遠隔ユニットに送信することで実現される、即ち、遠隔ユニットが聞こえる及び／又は見える指示、または警告を発するか、さもなければ、該ユーザに対して話してもよいと指示するのである。このメッセージはSIPメッセージ、または他のIPプロトコル形式のメッセージであってよい。論理はそれから、ブロック106にループバックして他の遠隔ユニットを締め出し、今話している遠隔ユニットを待ち行列から取り除き、上述の内容に沿って進行する。
【００２８】
ここで示し詳細に記述した、無線ディスパッチシステムにおけるプッシュトゥトークリクエストを待ち行列に組み入れるためのシステム及び方法の一例は、上述した本発明の目的を完全に達成可能であるが、以下のことは理解されなければならない、即ち、上記一例は本発明の現時点で好ましい実施例であり、そしてそれは本発明によって幅広く考察された主題の代表例であること、本発明の範囲は当業者にとって明らかな他の実施例を完全に含むこと、そして本発明の範囲は添付された請求項以外の事項によってはいかなる制約も受けないようになっていることである。該請求項において単数として言及されている要素は、明示的に述べられている場合を除いて“１つそしてただ１つ”を意味する意図はなく、むしろ“１つまたはそれ以上”を意味する。本技術分野における通常の知識を有するものにとって知られているまたは後に知られるようになる、上記好ましい実施例の要素に対する全ての構造的、機能的等価物は、明らかにここで含まれていることを述べるとともに、本請求項によって包含されることが意図されている。更に、装置や方法が本実施例に含まれる為に、本発明によって解決されることが求められるそれぞれそして全ての問題を扱う必要は無い。さらに、本開示例における要素、部品、または方法のステップで、請求項内でそれらが明示的に列挙されているかどうかは考慮せずに開示されているものは無い。ここの請求項の要素で、以下のものを除いて、35U.S.C §112第６節の規定に基づいて構成されなければならないものは無い。即ち、要素が“に対する手段”という言い回しを用いて明示的に列挙されている場合または方法の請求項である場合、要素が“動作”ではなく“ステップ”として列挙されている場合である。
【図面の簡単な説明】
【００２９】
【図１】本システムのブロック図である。
【図２】本論理のフローチャートである。
【符号の説明】
【００３０】
１０・・ディスパッチシステム
【図１】
2005532703.tif 000003
【図２】
2005532703.tif 000004
【国際調査報告】
2005532703.tif 000005
2005532703.tif 000006
2005532703.tif 000007